(57)【要約】【課題】コネクタと端子の組立工程において、端子及びハウジングの破損を抑制しつつ、より確実に端子半挿入を検出できるようにすること。【解決手段】端子１８を端子収容部１４に挿入可能な態様でコネクタ１０を保持可能なホルダー部２０と、ホルダー部２０を第１位置と第２位置との間で移動可能に保持する基台部３０と、支軸部８１周りに姿勢変更自在に支持され、係止片１６の浮き状態に応じて浮き検知姿勢と浮き非検知姿勢との間で姿勢変更可能な検知部８０と、ホルダー部２０を第２位置でロック可能であると共に、検知部８０が浮き非検知姿勢に姿勢変更した状態でホルダー部２０のロックを解除可能なホルダー部ロック機構部とを備える。【選択図】図８
2010165516.tif 000002
【特許請求の範囲】
【請求項１】
端子を挿入可能な端子収容部が形成されたハウジング本体部に、前記端子収容部内に挿入された前記端子に係止して前記端子の抜けを防止する係止片が前記ハウジング本体部の一側面で露出し、かつ前記端子が半挿入の状態で前記係止片が外方に向かって浮くように形成されたコネクタに、前記端子を挿入する際、前記端子の半挿入を検出可能な端子半挿入検出機能付きコネクタ組立用装置であって、
前記端子を前記端子収容部に挿入可能な態様で前記コネクタを保持可能なホルダー部と、
前記ホルダー部を、前記コネクタを挿入するための第１位置と前記端子の半挿入状態を検出するための第２位置との間で移動可能に保持する基台部と、
支軸周りに姿勢変更自在に支持され、前記第２位置に位置する前記ホルダー部に前記コネクタが保持された状態で、前記係止片の浮き状態に応じて浮き検知姿勢と浮き非検知姿勢との間で姿勢変更可能な検知部と、
少なくとも、前記検知部が前記浮き検知姿勢に姿勢変更した状態で前記ホルダー部を前記第２位置でロック可能である共に、前記検知部が前記浮き非検知姿勢に維持されている状態で前記ホルダー部のロックを解除可能なホルダー部ロック機構部と、
を備える端子半挿入検出機能付きコネクタ組立用装置。
【請求項２】
請求項１に記載の端子半挿入検出機能付きコネクタ組立用装置であって、
前記検知部は、前記係止片に当接可能な係止片当接部と前記浮き検知姿勢に姿勢変更した状態で前記係止片の浮き量に応じて前記ホルダー部ロック機構部に作用可能なロック機構部作用部とを有し、姿勢変更の支点となる前記支軸から前記係止片当接部までの寸法に対して前記支軸から前記ロック機構部作用部までの寸法が長く設定されている、端子半挿入検出機能付きコネクタ組立用装置。
【請求項３】
請求項１または請求項２に記載の端子半挿入検出機能付きコネクタ組立用装置であって、
前記ホルダー部ロック機構部は、
前記ホルダー部が前記第２位置に移動されたとき、前記ホルダー部と前記基台部とに係合するようにロック動作をして、前記ホルダー部を前記第２位置でロック可能なロック部と、
ロック解除位置とロック非解除位置との間で移動可能で、前記ロック解除位置に移動されたとき前記ロック部による前記ホルダー部のロックを解除可能なロック解除部と、
前記ホルダー部が前記第２位置に位置する状態で、前記検知部が前記浮き検知姿勢に姿勢変更したとき前記ホルダー部と前記ロック解除部とに係合して、前記ロック解除部が前記ロック解除位置に移動するのを制限することによりロック解除を制限可能なロック解除制限部と、を有している、
端子半挿入検出機能付きコネクタ組立用装置。
【請求項４】
請求項３に記載の端子半挿入検出機能付きコネクタ組立用装置であって、
前記ロック部には、被解除摺接部が形成されており、
前記ホルダー部のロックを解除する際、前記ロック解除部が前記被解除摺接部に摺接して前記ロック部による前記ホルダー部のロックを解除可能にされている端子半挿入検出機能付きコネクタ組立用装置。
【請求項５】
請求項１〜請求項４のいずれか一項に記載の端子半挿入検出機能付きコネクタ組立用装置であって、
少なくとも前記ホルダー部が前記第２位置に位置する状態で、前記ホルダー部に保持されている前記コネクタに抜止め状に係止可能なストッパー部を、さらに備える端子半挿入検出機能付きコネクタ組立用装置。
【発明の詳細な説明】
【技術分野】
【０００１】
この発明は、ワイヤーハーネス製造等に利用されるコネクタの端子半挿入を検出する技術に関する。
【背景技術】
【０００２】
コネクタに対する端子の装着状態を検出する技術として、特許文献１に開示のものがある。
【０００３】
特許文献１は、コネクタのハウジングに挿入された端子を係止する係止部材が、ハウジングの側壁に形成された装着孔から挿入されるように構成されたコネクタについて、ハウジングに仮係止された係止部材が正規の装着位置から突出しているか否かを検査してコネクタの良否を判定する技術を開示している。
【先行技術文献】
【特許文献】
【０００４】
【特許文献１】特開２０００−１４７０４７号公報
【発明の概要】
【発明が解決しようとする課題】
【０００５】
ところで、ワイヤーハーネス製造に利用されるコネクタとして、ハウジングに端子を挿入可能な端子収容部が形成されると共に、同ハウジング自体に端子を係止して前記端子の抜けを防止する係止片が一側面で露出しかつ端子が半挿入の状態で係止片が外方に向かって浮くように形成されているものが提案されている。
【０００６】
しかしながら、特許文献１では、ハウジングとは別の部材である係止部材をハウジングに装着して端子を係止するコネクタを対象として検査を行う構成であるため、上記のようにハウジング自体に端子係止用の係止片を形成したタイプのコネクタに適用するのは困難である。
【０００７】
上記のようにハウジング自体に端子係止用の係止片を形成したタイプのコネクタに関して、端子半挿入を検出する方法としては、コネクタの端子挿入側と逆側の開口からスイッチプローブを挿入し、スイッチプローブと端子との導通の可否により端子が正規位置に配設されているか否かを検出する方法が考えられる。しかしながら、この方法によると、スイッチプローブが端子に押し当ってしまうため、端子が破損或いは変形してしまう恐れがあり、特に、強度が低い極小端子には適用困難である。また、端子が係止片以外で引っ掛った場合にでも端子が不動な状態であれば、端子が良好に挿入されていると判定してしまう恐れがある。
【０００８】
また、他にも、コネクタより僅かに大きく、端子半挿入による係止片浮きが発生しているコネクタを挿入不可能な大きさの穴部が形成されている寸法規制治具に端子を挿入したコネクタを挿入することにより、端子半挿入を検出する方法が提案されている。しかしながら、この方法によると、作業者の力加減により係止片が折れ、コネクタが治具内に挿入されてしまう恐れがある。
【０００９】
そこで、本発明は、コネクタと端子の組立工程において、端子及びハウジングの破損を抑制しつつ、より確実に端子半挿入を検出できるようにすることを目的とする。
【課題を解決するための手段】
【００１０】
第１の態様に係る端子半挿入検出機能付きコネクタ組立用装置は、端子を挿入可能な端子収容部が形成されたハウジング本体部に、端子収容部内に挿入された端子に係止して端子の抜けを防止する係止片がハウジング本体部の一側面で露出し、かつ端子が半挿入の状態で係止片が外方に向かって浮くように形成されたコネクタに、端子を挿入する際、端子の半挿入を検出可能な端子半挿入検出機能付きコネクタ組立用装置であって、端子を端子収容部に挿入可能な態様でコネクタを保持可能なホルダー部と、前記ホルダー部を、前記コネクタを挿入するための第１位置と前記端子の半挿入状態を検出するための第２位置との間で移動可能に保持する基台部と、支軸周りに姿勢変更自在に支持され、第２位置に位置するホルダー部にコネクタが保持された状態で、係止片の浮き状態に応じて浮き検知姿勢と浮き非検知姿勢との間で姿勢変更可能な検知部と、少なくとも、検知部が浮き検知姿勢に姿勢変更した状態でホルダー部を第２位置でロック可能である共に、検知部が浮き非検知姿勢に維持されている状態でホルダー部のロックを解除可能なホルダー部ロック機構部と、を備える。
【００１１】
第２の態様に係る端子半挿入検出機能付きコネクタ組立用装置は、第１の態様に係る端子半挿入検出機能付きコネクタ組立用装置であって、検知部は、係止片に当接可能な係止片当接部と浮き検知姿勢に姿勢変更した状態で係止片の浮き量に応じてホルダー部ロック機構部に作用可能なロック機構部作用部とを有し、姿勢変更の支点となる支軸から係止片当接部までの寸法に対して支軸からロック機構部作用部までの寸法が長く設定されている。
【００１２】
第３の態様に係る端子半挿入検出機能付きコネクタ組立用装置は、第１の態様または第２の態様に係る端子半挿入検出機能付きコネクタ組立用装置であって、ホルダー部ロック機構部は、ホルダー部が第２位置に移動されたとき、ホルダー部と基台部とに係合するようにロック動作をして、ホルダー部を第２位置でロック可能なロック部と、ロック解除位置とロック非解除位置との間で移動可能で、ロック解除位置に移動されたときロック部によるホルダー部のロックを解除可能なロック解除部と、ホルダー部が第２位置に位置する状態で、検知部が浮き検知姿勢に姿勢変更したときホルダー部とロック解除部とに係合して、ロック解除部がロック解除位置に移動するのを制限することによりロック解除を制限可能なロック解除制限部と、を有している。
【００１３】
第４の態様に係る端子半挿入検出機能付きコネクタ組立用装置は、第３の態様に係る端子半挿入検出機能付きコネクタ組立用装置であって、ロック部には、被解除摺接部が形成されており、ホルダー部のロックを解除する際、ロック解除部が被解除摺接部に摺接してロック部によるホルダー部のロックを解除可能にされている。
【００１４】
第５の態様に係る端子半挿入検出機能付きコネクタ組立用装置は、第１の態様〜第４の態様のいずれかに係る端子半挿入検出機能付きコネクタ組立用装置であって、少なくともホルダー部が第２位置に位置する状態で、ホルダー部に保持されているコネクタに抜止め状に係止可能なストッパー部を、さらに備える。
【発明の効果】
【００１５】
第１の態様に係る端子半挿入検出機能付きコネクタ組立用装置によると、端子半挿入の状態では検知部がコネクタの係止片の浮き状態を検知して浮き検知姿勢に姿勢変更し、ホルダー部を第２位置でロックして第１位置に移動不可能にするため、コネクタと端子との組立工程において、端子をコネクタに挿入した後ホルダー部が第２位置から第１位置に移動できるか否かをもって、より確実に端子半挿入状態を検出して完全挿入を行うことができる。この際、コネクタをホルダー部に挿入した状態で端子を挿入して端子半挿入を検出することができるので、係止片には端子挿入力及び検知部を姿勢変更させる力以外には余分な力が加わり難いため、端子及びコネクタの破損を抑制することができる。
【００１６】
第２の態様に係る端子半挿入検出機能付きコネクタ組立用装置によると、検知部が姿勢変更の支点となる支軸から係止片当接部までの寸法に対して支軸からロック機構部作用部までの寸法が長く設定されているため、端子が半挿入の状態で係止片当接部が係止片の浮き量だけ押され、当該係止片の浮き量を増幅してロック機構部作用部がホルダー部ロック機構部に作用する。これにより、端子が半挿入の状態で係止片の浮き量が僅かであってもより確実にホルダー部を第２位置にロックすることができ、コネクタと端子との組立工程において、より確実に端子の半挿入を検出して完全挿入を行うことができる。
【００１７】
第３の態様に係る端子半挿入検出機能付きコネクタ組立用装置によると、ホルダー部が第２位置に位置する状態でロック部が基台部とホルダー部とに係合するようにロック動作をしてホルダー部を第２位置でロックする。このため、作業者がホルダー部を第２位置に保持する手間が省け、ホルダー部に保持されたコネクタに対する端子挿入作業を容易に行うことができる。また、検知部が浮き検知姿勢に姿勢変更したときロック解除制限部がホルダー部とロック解除部とに係合し、ロック解除部のロック解除位置への移動を制限してホルダー部のロック解除を制限するため、端子が半挿入の状態ではホルダー部が第２位置でロックされて移動不可能にされると共に端子が完全挿入の状態ではホルダー部のロックが解除されてホルダー部が第１位置に移動可能にされる。従って、作業者はロック解除部を操作するだけで容易に端子の挿入状態を確認でき、コネクタと端子との組立工程において、より確実に端子半挿入状態を検出して完全挿入を行うことができる。
【００１８】
第４の態様に係る端子半挿入検出機能付きコネクタ組立用装置によると、ホルダー部のロックを解除する際、ロック解除部を移動させると当該ロック解除部がロック部に形成されている被解除摺接部に摺接してロック部によるホルダー部のロックを解除する。このため、ロック解除部の移動操作には大きな力が要らず、端子が完全挿入されているときにロック解除部によりロック解除を容易に行うことができる。
【００１９】
第５の態様に係る端子半挿入検出機能付きコネクタ組立用装置によると、ホルダー部が第２位置に位置する状態で、ストッパー部がコネクタに係止可能である。これにより、端子が半挿入の状態ではホルダー部が第２位置でロックされてコネクタを抜出し不可能にされているため、端子半挿入状態で作業者がコネクタを誤って抜出すことを防ぐことができる。そして、コネクタと端子との組立工程において、より確実に端子半挿入状態を検出して完全挿入を行うことができる。また、係止片が浮いた状態でコネクタを抜出すことによるコネクタの破損、変形等を防止することもできる。
【図面の簡単な説明】
【００２０】
【図１】端子が挿入されているコネクタを示す斜視図である。
【図２】図１のＩＩ−ＩＩ線断面図である。
【図３】図１のＩＩＩ−ＩＩＩ線断面図である。
【図４】端子を示す斜視図である。
【図５】図１のＶ−Ｖ線断面図である。
【図６】図１のＶＩ−ＶＩ線断面図である。
【図７】第１実施形態に係る端子挿入検出機能付きコネクタ組立用装置の分解斜視図である。
【図８】第１実施形態に係る端子挿入検出機能付きコネクタ組立用装置の断面図である。
【図９】第１実施形態に係る端子挿入検出機能付きコネクタ組立用装置においてホルダー部が第２位置に位置する状態を示す断面図である。
【図１０】第１実施形態に係る端子挿入検出機能付きコネクタ組立用装置において端子が完全挿入された状態を示す断面図である。
【図１１】第１実施形態に係る端子挿入検出機能付きコネクタ組立用装置においてロック解除動作を示す断面図である。
【図１２】第１実施形態に係る端子挿入検出機能付きコネクタ組立用装置においてロック解除動作不可能な状態を示す断面図である。
【図１３】図９のＸＩＩＩ−ＸＩＩＩ線断面図である。
【発明を実施するための形態】
【００２１】
｛第１実施形態｝
以下、第１実施形態に係る端子半挿入検出機能付きコネクタ組立用装置について説明する。本発明は、コネクタに端子を挿入する際に、端子の半挿入状態を検出して端子を完全にコネクタに挿入するための装置である。
【００２２】
＜１．コネクタの構造＞
説明の便宜上、まず端子半挿入検出機能付きコネクタ組立用装置の対象となるコネクタ１０について説明する。図１は端子１８が挿入されているコネクタ１０を示す斜視図、図２は図１のＩＩ−ＩＩ線断面図、図３は図１のＩＩＩ−ＩＩＩ線断面図、図４は端子１８を示す斜視図、図５は端子１８が半挿入されている状態を示す図１のＶ−Ｖ線断面図、図６は端子１８が完全挿入されている状態を示す図１のＶＩ−ＶＩ線断面図である。
【００２３】
コネクタ１０は、端子１８を挿入可能な端子収容部１４を有するハウジング本体部１２に端子１８に係止可能な係止片１６が一体成形された構造であり、当該係止片１６がハウジング本体部１２の一側面で露出し、かつ端子１８が半挿入の状態で係止片１６が外方に向かって浮くように構成されている（図１及び図５参照）。
【００２４】
ここでは、端子１８の外周部の一側には、略直方体に開口する孔形状の係止孔部１７が形成され、この係止孔部１７に後述する係止片１６が係止可能に構成されている。
【００２５】
ハウジング本体部１２は、樹脂等の絶縁材で扁平な略直方体に形成されており、ここでは、当該ハウジング本体部１２には、複数の端子収容部１４が並列状に形成されていると共に各端子収容部１４のそれぞれに係止片１６が形成されている。
【００２６】
端子収容部１４は、少なくとも一端側で開口する穴形状に形成され、その開口から奥側部に向けて端子１８を挿入可能に形成されている。
【００２７】
係止片１６は、ハウジング本体部１２の端子収容部１４の開口部が形成されている面に隣接する一側面に、各端子収容部１４に対応して並列状に形成されている。この係止片１６は、端子挿入方向手前側の基端部１６ａでハウジング本体部１２に支持されていると共に同挿入方向先端側の先端部１６ｂが自由端とされた略短冊状の部材である。また、係止片１６の先端部１６ｂには、端子収容部１４内側に向けて突出状に形成された係止突部１５が設けられている。この係止突部１５は、後述するように端子１８が端子収容部１４内に奥まで挿入された状態で、上記係止孔部１７に係止する位置に形成されている。
【００２８】
また、係止片１６は、基端部１６ａを支点に弾性変形可能であり、先端部１６ｂ側部分がハウジング本体部１２の一側面に略直交する方向に移動可能にされている。つまり、係止片１６は、その外側面をハウジング本体部１２の一側面と略同一面上に配設した状態から、端子収容部１４内からの押圧により当該外側面をハウジング本体部１２の一側面から端子収容部１４の反対側に浮かせた状態に変形可能である。
【００２９】
コネクタ１０は、図６のように端子１８が端子収容部１４内の奥側部まで挿入されている状態（完全挿入の状態）では、端子１８の係止孔部１７と係止突部１５とが対向する位置で、係止突部１５が係止孔部１７に係止した状態になる。このとき、係止突部１５は係止孔部１７内に配設され、係止突部１５の先端側部分が係止孔部１７の開口周縁部の端子１８挿入方向前方側部分に係止する。
【００３０】
また、コネクタ１０は、図５のようにコネクタ１０に端子１８が端子収容部１４内の途中までしか挿入されていない状態（不完全挿入の状態）では、係止片１６の係止突部１５が端子１８の外周部の一側に当接して、係止片１６が端子収容部１４側から外方に押圧された状態になっている。このとき、係止片１６は、ハウジング本体部１２の一側面から外方に向かって浮いた状態になっている。
【００３１】
また、本コネクタ１０は、ハウジング本体部１２に複数形成された端子収容部１４のそれぞれに挿入される各端子１８をハウジング本体部１２内で短絡部材１３により短絡可能に構成されている。
【００３２】
短絡部材１３は、略直方体に形成されている結合部分１３ａと当該結合部分１３ａから突出状に形成されている複数の接触部分１３ｂとを有する板状部材である。この接触部分１３ｂは、端子収容部１４と同数だけ端子収容部１４に対応する間隔をあけて延出するように形成されている。
【００３３】
ハウジング本体部１２には、端子収容部１４の端子１８挿入用の上記開口と対向する面で開口し、上記短絡部材を収容保持可能な短絡部材収容穴部１１が形成されている。この短絡部材収容穴部１１は、短絡部材１３の結合部分１３ａを収容可能な凹形状部分と、当該凹形状部分からハウジング本体部１２に形成されている端子収容部１４のそれぞれに対して貫通し、短絡部材１３の各接触部分１３ｂを挿通可能な孔部分とを有している。
【００３４】
そして、短絡部材１３は、短絡部材収容穴部１１内に挿入されたとき、接触部分１３ｂの先端部が端子収容部１４内に配設される。また、この短絡部材１３は、端子収容部１４に端子１８が挿入されたとき、端子１８に接触する。ここでは、短絡部材１３の各接触部分１３ｂが対応する端子１８に設けられている短絡部材１３接触用の一対の金属片間に挟まれることによって、各端子１８に電気的に接続される。これにより、それぞれの端子収容部１４に挿入された各端子１８が短絡部材１３を介して短絡される。
【００３５】
また、ここでは、コネクタ１０は、小型端子を挿入可能な小型コネクタであり、外部からの大きな力に弱く、比較的変形、破壊等しやすいものである。
【００３６】
＜２．端子半挿入検出機能付きコネクタ組立用装置の構成＞
次に、本発明に係る端子挿入検出機能付きコネクタ組立用装置の構成について説明する。図７は第１実施形態に係る端子挿入検出機能付きコネクタ組立用装置の分解斜視図、図８は第１実施形態に係る端子挿入検出機能付きコネクタ組立用装置の断面図、図９はホルダー部２０が第２位置に位置する状態を示す端子挿入検出機能付きコネクタ組立用装置の断面図、図１３は図９のＸＩＩＩ−ＸＩＩＩ線断面図、図１０は端子１８が完全挿入された状態を示す端子挿入検出機能付きコネクタ組立用装置の断面図、図１１はロック解除動作を示す端子挿入検出機能付きコネクタ組立用装置の断面図、図１２はロック解除動作不可能な状態を示す端子挿入検出機能付きコネクタ組立用装置の断面図である。ここでは、図８〜図１２は、図７の組立時における概略断面図であり、部分的に簡略化している。また、図１３では、ロック部５０及びロック解除制限部７０を二点差線で示している。また、説明の便宜上、以下説明において、ホルダー部２０の移動方向の第１位置側を上、第２位置側を下と表現することがある。
【００３７】
端子半挿入検出機能付きコネクタ組立用装置は、ホルダー部２０と、基台部３０と、ホルダー部ロック機構部と、検知部８０と、ストッパー部９０とを備えている。ここでは、ホルダー部ロック機構部は、ロック部５０とロック解除部６０とロック解除制限部７０とを有する構成とされている。
【００３８】
この端子半挿入検出機能付きコネクタ組立用装置の基本的な動作を説明しておく。端子半挿入検出機能付きコネクタ組立用装置では、ホルダー部２０は、端子１８を挿入可能な態様でコネクタ１０を保持可能に構成されている。また、ホルダー部２０は、基台部３０により第１位置と第２位置との間で移動可能に保持されており、ホルダー部２０は、第２位置に移動すると、ロック部５０により当該第２位置にロックされる。そして、ホルダー部２０を第１位置から第２位置に移動させた状態で、ホルダー部２０に保持されたコネクタ１０に対する端子１８の挿入作業が行われる。この際、端子１８が半挿入状態であると、検知部８０の姿勢変更によりロック解除制限部７０がロック解除部６０に係合して、ロック部５０によるロック状態が維持される。また、端子１８が完全挿入状態であるとロック解除部６０によるロック部５０のロック解除が可能となり、ホルダー部２０は第２位置から第１位置に復帰移動可能になる。
【００３９】
以下、各構成ごとにより具体的に説明する。
【００４０】
ホルダー部２０は、端子１８を端子収容部１４内に挿入可能な態様でコネクタ１０を保持可能にされている。より具体的には、ホルダー部２０は略直方体ブロック状に形成され、当該ホルダー部２０には、コネクタ１０を挿入可能なコネクタ収容穴部２２が形成されている。コネクタ収容穴部２２は、コネクタ１０の外形状と略同じで、コネクタ１０を一定位置、姿勢に保持可能な略直方体穴形状に形成されていて、ホルダー部２０の一主面側（上方）に開口している。
【００４１】
ここでは、コネクタ１０の挿入方向は端子１８を端子収容部１４に挿入する方向と略同一方向である。そして、コネクタ１０がコネクタ収容穴部２２内に保持される姿勢は、コネクタ１０の端子収容部１４の開口の向きがコネクタ収容穴部２２の開口の向きと略同一の向きになる姿勢である（図８及び図９参照）。
【００４２】
また、コネクタ収容穴部２２の開口周縁部には、外方に向かって徐々に広く開口するように案内部が形成されていてもよい。これにより、コネクタ１０の挿入を容易にすることができる。
【００４３】
また、ホルダー部２０は、後述する基台部３０に形成されている抜止め部３３が抜止め状に係止可能な係止縁部２３を有している。そして、ホルダー部２０は、抜止め部３３が係止縁部２３に抜止め状に係止することで、第１位置に維持される（図８参照）。
【００４４】
さらに、ホルダー部２０には、コネクタ収容穴部２２が開口する面に隣接する一面側に、後述するロック部５０を配設可能な有底穴状のロック部収容穴部２４とロック解除制限部７０を配設可能な貫通孔状のロック解除制限部収容孔部２６とが形成されていると共に、前記一面側と逆側の他面側に、検知部８０を配設可能な凹状の検知部収容凹部２８と、ストッパー部９０を配設可能な凹状のストッパー部収容凹部２９とが形成されている。
【００４５】
ロック部収容穴部２４は、ロック部５０をホルダー部２０から突出したロック位置とホルダー部２０内に退避した非ロック位置との間で移動自在に配設可能に形成されており、後述するロック解除部６０が配設されている側のホルダー部２０の一側面で開口する有底穴状に形成されている。
【００４６】
ロック解除制限部収容孔部２６は、ロック解除制限部７０をホルダー部２０から突出したロック解除制限位置とホルダー部２０内に退避したロック解除非制限位置との間で移動自在に配設可能な貫通孔状に形成されており、後述するロック解除部６０が配設されている側のホルダー部２０の一側面（ロック部収容穴部２４の開口面）及び検知部収容凹部２８内に開口している。また、ロック解除制限部収容孔部２６の検知部収容凹部２８側部分は、ロック解除制限部７０の後述するバネ受け部７４及びバネ７２を配設可能なように、ロック解除部６０側（小径部２６ｂ）より大径に形成されている（大径部２６ａ）。
【００４７】
検知部収容凹部２８は、コネクタ収容穴部２２に挿入されたコネクタ１０の係止片１６が形成されている側のホルダー部２０外面で開口する略凹溝形状に形成されている。より具体的には、検知部収容凹部２８は、検知部８０が後述の浮き非検知姿勢と浮き検知姿勢とで姿勢変更可能な程度に検知部８０より大きく形成されている。また、検知部収容凹部２８は、コネクタ収容穴部２２内に保持されているコネクタ１０の係止片１６に対応する位置（係止片１６と後述する係止片当接部８２とが当接可能な位置）でコネクタ収容穴部２２と連通している。
【００４８】
ストッパー部収容凹部２９は、ストッパー部９０を後述する係止姿勢と非係止姿勢とで姿勢変更自在に配設可能な凹状に形成されている。
【００４９】
基台部３０は、ホルダー部２０を、コネクタ１０を挿入するための第１位置と端子１８の半挿入状態を検出するための第２位置との間で移動可能に保持可能に構成されている。より具体的には、基台部３０には、ホルダー部２０を第１位置と第２位置との間で移動可能に保持可能なホルダー部収容穴部３２が形成されている。ホルダー部収容穴部３２は、第１位置と第２位置との間でホルダー部２０を保持可能な大きさに形成され、ここでは、ホルダー部２０の開口する向きと略同一の向きに開口している。
【００５０】
ここで、第１位置は、ホルダー部２０の一部がホルダー部収容穴部３２から抜出した状態で維持される位置（図８参照）で、第２位置は、ホルダー部２０がホルダー部収容穴部３２の奥側まで挿入された状態で維持される位置（図９参照）である。第２位置では、後述するロック部５０がホルダー部２０と基台部３０とに係合するようにロック動作をしてホルダー部２０がホルダー部収容穴部３２内でロックされる。
【００５１】
また、ここでは、ホルダー部２０の移動方向は、コネクタ１０をホルダー部２０に形成されているコネクタ収容穴部２２に挿入する方向と略同一方向である。これにより、コネクタ収容穴部２２にコネクタ１０を挿入する動作と同時にホルダー部２０を第１位置から第２位置に移動させることができる。
【００５２】
なお、図７ではホルダー部２０は、複数部材の組合せによって構成されているが、これらは単一の部材によって構成されていてもよい。
【００５３】
また、基台部３０には、ホルダー部２０が第１位置にある状態でホルダー部２０に抜止め状に係止可能な抜止め部３３を有している。より具体的には、抜止め部３３は、ホルダー部２０が第１位置に位置する状態で係止縁部２３に当接して係止可能なように、ホルダー部収容穴部３２側に凸状に形成されている。ここでは、抜止め部３３は、基台部３０のホルダー部収容穴部３２の一内面の開口側部分でホルダー部収容穴部３２内側に向けて突出している。
【００５４】
抜止め部３３は、ホルダー部２０が第１位置にある状態で、ホルダー部２０の移動方向の第１位置側に付勢されているホルダー部２０が第１位置より基台部３０の外方に抜出すのを防止するように、ホルダー部２０に係止している。また、抜止め部３３は後述するロック解除部６０の係止凸部６８にも係止可能である。係止凸部６８については後述する。
【００５５】
また、基台部３０には、後述するロック部５０の基台部係合部５６が係合可能なロック部係合凹部３４が形成されている。ロック部係合凹部３４は、ホルダー部２０が第２位置に位置する状態で、ロック部５０の後述する基台部係合部５６が対向する位置に形成されていると共に、ロック部５０がロック位置に移動したとき基台部係合部５６が係合可能に形成されている。ここでは、ロック部係合凹部３４は、後述するロック解除部収容部３５の幅方向両側に略直方体穴形状に形成され、ロック部５０の移動方向においてホルダー部収容穴部３２内に開口している。
【００５６】
また、基台部３０には、後述するロック解除部６０をロック解除位置とロック非解除位置との間で移動可能に保持可能なロック解除部収容部３５が形成されている。当該ロック解除部収容部３５は、ホルダー部収容穴部３２内に開口し、ホルダー部２０の移動方向において、第１位置側から第２位置側に向けて延びる細長の略凹形状の溝条部分とその奥側（第２位置側）にさらに延びる略直方体の穴状部分とを有している。さらに、基台部３０の上記溝条部分のホルダー部２０の移動方向第１位置側は、ロック解除部６０の操作部６３に干渉しないように、溝条部分の凹形状底側に向かって外方に開放されている。
【００５７】
また、基台部３０には、ホルダー部収容穴部３２を形成している基台部３０の内側部分に、後述の検知部８０が姿勢変更時に当該内側部分に当接するのを防ぐための凹部が形成されている。
【００５８】
また、ホルダー部２０と基台部３０との間には、ホルダー部２０を第２位置から第１位置に向けて付勢するホルダー部移動バネ３６が配設されている。当該ホルダー部移動バネ３６は、バネガイド３７に沿って伸縮可能である。ここでは、バネガイド３７はホルダー部２０に取り付けられており、基台部３０にはバネガイド３７を挿通可能に支持可能なバネガイド支持部３８が形成されている。
【００５９】
また、基台部３０には、コネクタ１０に端子１８を挿入する作業場に固定して基台部３０を支持可能な図示省略の支持部材が取り付けられても良い。
【００６０】
なお、図７では基台部３０は、複数部材の組合せによって構成されているが、これらは単一の部材によって構成されていてもよい。
【００６１】
ロック部５０は、ホルダー部２０が第２位置に移動されたとき、当該ホルダー部２０と基台部３０とに係合するようにロック動作をして、ホルダー部２０を第２位置でロック可能にされている。
【００６２】
より具体的には、ロック部５０は、ホルダー部２０と基台部３０とに係合するロック位置（図９参照）と係合しない非ロック位置（図８参照）との間で移動可能にロック部収容穴部２４に配設されている。また、ロック部５０がホルダー部２０に配設される位置は、ホルダー部２０が第１位置から第２位置に移動すると、ロック部５０の後述する被解除摺接部５４がロック解除部６０の解除摺接溝部６４に対向すると共に、基台部係合部５６がロック部係合凹部３４に対向する位置である。また、ロック部５０は、ロック部収容穴部２４内に配設されているロックバネ５２によりロック部５０の移動方向においてロック部係合凹部３４側（ロック解除部６０側）に向けて付勢されている。そして、ロック部５０は、ホルダー部２０が第１位置に位置する状態では、基台部係合部５６がホルダー部収容穴部３２内面に当接し（図８参照）、ホルダー部２０が第２位置に位置する状態では、被解除摺接部５４が解除摺接溝部６４内に配設されると共に、基台部係合部５６がロック部係合凹部３４内に配設されてロック部係合凹部３４の内面に係合する（図９参照）。
【００６３】
ここでは、ロック部５０は、ロック部収容穴部２４内を前記ロック部係合凹部３４に向かう進退方向に移動可能な略直方体に形成されている。また、このロック部５０の先端側部分には幅方向中心部分に被解除摺接部５４が形成されていると共にその幅方向両端側に基台部係合部５６が形成されている。
【００６４】
被解除摺接部５４は、ロック部５０の先端側部分の幅方向中心部分に、ロック解除部６０の移動方向において後述のロック解除位置側からロック非解除位置側に向けてロック部５０の移動方向非ロック位置側に傾斜する傾斜面を有している。被解除摺接部５４の幅方向寸法は、解除摺接溝部６４の幅寸法より幅広に設定され、被解除摺接部５４の幅方向両側に形成されている基台部係合部５６に解除摺接溝部６４が干渉しないようにされている（図１３参照）。
【００６５】
被解除摺接部５４は、ホルダー部２０のロックを解除する際、後述するロック解除部６０に形成されている解除摺接溝部６４に摺接してロック部５０によるホルダー部２０のロックを解除可能する役割を有している。
【００６６】
より具体的には、ホルダー部２０が第２位置に位置しかつロック解除部６０がロック非解除位置に位置する状態で、被解除摺接部５４は解除摺接溝部６４に対向する（図９参照）。そして、その状態で、バネ５２による付勢力によりロック部５０がロック位置に移動すると、被解除摺接部５４は解除摺接溝部６４内に配設される。ロック解除部６０がロック被解除位置からロック解除位置に移動されると、解除摺接溝部６４が被解除摺接部５４に摺接して、ロック部５０を押下げていく。ロック解除部６０がロック解除位置に位置する状態では、被解除摺接部５４はロック解除部６０のホルダー部収容穴部３２側面に当接している（図１１参照）。このとき、ロック部５０がロック部収容穴部２４内に退避した状態になる。
【００６７】
ここで、被解除摺接部５４は、必ずしも傾斜する形状である必要はなく、略直方体端部形状であってよいが、その場合、後述するロック解除部６０に形成されている解除摺接溝部６４がホルダー部２０の移動方向の第２位置に向けて反ホルダー部収容穴部３２側（ロック部５０が付勢されている向き）に傾斜するように形成されているとよい。要するに解除摺接溝部６４が被解除摺接部５４に摺接することにより、ロック部５０をロック部収容穴部２４内に退避させてロックを解除可能、すなわち、基台部係合部５６とロック部係合凹部３４との係合を解除可能であればよい。
【００６８】
基台部係合部５６は、ホルダー部２０が第２位置に位置する状態で、基台部３０に形成されているロック部係合凹部３４に係合可能にされている。より具体的には、ホルダー部２０に対する基台部係合部５６の配設位置は、ホルダー部２０が第１位置から第２位置に移動したとき、ロック部係合凹部３４に対向する位置である（図１３参照）。そして、基台部係合部５６は、ホルダー部２０が第１位置に位置する状態では、ホルダー部収容穴部３２内面に当接する（図８参照）と共に、ホルダー部２０が第２位置に位置する状態では、ロック部係合凹部３４内に配設されてロック部係合凹部３４に係合する（図９参照）。
【００６９】
ここでは、基台部係合部５６は、ロック部５０の先端部分において被解除摺接部５４の幅方向両側に形成されており、ロック部５０の一側面がホルダー部２０移動方向に略直交するように設定されている。
【００７０】
また、ロック部５０の後端側部分には、ロックバネ５２の一端部を受けるバネ受け部５３が形成されている。ここでは、バネ受け部５３は、ロック部５０の後端面で略円形に開口する略円柱穴形状に形成されている。
【００７１】
ロック部５０は、ホルダー部２０が第１位置に位置する状態では、ロック部５０全体がロック部収容穴部２４内に退避している非ロック位置でロックバネ５２を収縮させて配設されている。より具体的には、ロック部５０は、先端部分に形成されている基台部係合部５６がホルダー部収容穴部３２内面に当接していると共に、被解除摺接部５４がロック解除部６０のホルダー部収容穴部３２側の面に当接した状態で維持されている（図８参照）。
【００７２】
また、ロック部５０は、ホルダー部２０が第２位置に位置する状態では、ホルダー部２０と基台部３０とに係合して、ホルダー部２０をホルダー部収容穴部３２内で第２位置にロックしている。より具体的には、ロック部５０は、ホルダー部２０が第２位置に移動したとき、ロックバネ５２の付勢力により基台部係合部５６がロック部係合凹部３４内に挿入された状態になる。つまり、ロック部５０は、ホルダー部２０を第１位置に移動させる向きに作用するホルダー部移動バネ３６の付勢力により、基台部係合部５６がロック部係合凹部３４の第２位置に向かう面に当接して係合すると共にロック部収容穴部２４内に収容されているロック部５０の後端側部分がロック部収容穴部２４の第１位置に向かう面に当接して係合する（図９参照）。これにより、ホルダー部２０が第２位置でロックされる。
【００７３】
ロック解除部６０は、ロック解除位置とロック非解除位置との間で移動可能で、当該ロック解除位置に移動されたときロック部５０によるホルダー部２０のロックを解除可能に構成されている。ここでは、ロック解除部６０の移動方向は、ホルダー部２０の移動方向と略同一方向である（図１１参照）。
【００７４】
ロック解除部６０は、ロック解除位置とロック非解除位置との間で移動可能なスライド本体部６２と当該スライド本体部６２に対する移動操作力を受ける操作部６３とを有している。
【００７５】
ここでは、操作部６３は、スライド本体部６２のホルダー部２０の移動方向第１位置側の端部に、第１位置側及びホルダー部収容穴部３２の反対側に突出するように配設されている。また、基台部３０に対しても第１位置側及びホルダー部収容穴部３２の反対側に突出している。この操作部６３は、ロック解除部６０をロック解除位置とロック非解除位置との間で移動操作可能に配設されていれば良い。
【００７６】
スライド本体部６２は、その移動方向においてロック解除位置側からロック非解除位置側に向けてバネ６１によって付勢されている。当該バネ６１は、ロック解除部収容部３５のロック解除部６０の移動方向奥側の穴状部分内に配設されている。
【００７７】
また、スライド本体部６２には、基台部３０に抜止め状に係止可能な係止凸部６８が形成されている。ここでは、係止凸部６８は、スライド本体部６２の幅方向両側に略凸状に形成されている。そして、係止凸部６８は、ロック解除部６０がロック非解除位置に位置する状態で、基台部３０に形成されている抜止め部３３に係止してロック解除部６０がロック非解除位置より外方に抜け出すのを防止している（図１３参照）。
【００７８】
また、スライド本体部６２には、ロック部５０の被解除摺接部５４に摺接してロック部５０をロック位置から非ロック位置に移動操作可能な解除摺接溝部６４と、後述するロック解除制限部７０に係止可能なロック解除制限部係合孔部６６とが形成されている。
【００７９】
解除摺接溝部６４は、スライド本体部６２の幅方向に亘って凹溝形状に形成されている。解除摺接溝部６４の寸法は、スライド本体部６２の移動方向においてロック部５０の被解除摺接部５４の寸法より大きく設定されている。
【００８０】
より具体的には、解除摺接溝部６４は、ロック解除部６０がロック非解除位置に位置する状態で、基台部３０に形成されているロック部係合凹部３４がロック解除部６０の幅方向で解除摺接溝部６４の両端側に位置するように設定されている（図１３参照）。ここでは、解除摺接溝部６４とロック部係合凹部３４とのロック解除部６０の移動方向ロック解除位置側に向かう面が略同一面上に位置している。
【００８１】
ホルダー部２０が第２位置に位置しかつロック解除部６０がロック非解除位置に位置する状態では、解除摺接溝部６４がロック部５０の被解除摺接部５４に対向するように設定されている。このとき、ロック部係合凹部３４と基台部係合部５６とが対向している。そして、この状態で、ロック部５０がロック位置に移動すると、被解除摺接部５４が解除摺接溝部６４内に配設される（図９参照）。このとき、基台部係合部５６がロック部係合凹部３４内に配設される。
【００８２】
ロック解除部６０をロック非解除位置からロック解除位置に移動させると、解除摺接溝部６４が被解除摺接部５４の傾斜に沿って被解除摺接部５４に摺接して、ロック部５０をロック位置から非ロック位置に移動させる。すなわち、被解除摺接部５４は、解除摺接溝部６４内から抜け出した状態になる（図１１参照）。
【００８３】
ロック解除制限部係合孔部６６は、ロック解除制限部７０の先端部分を挿入可能な穴形状に形成され、ロック解除制限部７０の移動方向においてホルダー部収容穴部３２側に開口している。ここでは、ロック解除制限部係合孔部６６は、ロック解除制限部７０の移動方向に略直交する平面方向においてロック解除制限部７０の先端部分の大きさより大きく、ロック解除制限部７０の移動方向に貫通する略円筒穴形状に形成されている。また、ロック解除制限部係合孔部６６の開口周縁部においてロック解除制限部係合孔部６６内面とロック解除部６０のホルダー部収容穴部３２側の面は、略直角に形成されていると良い。
【００８４】
そして、ロック解除制限部係合孔部６６は、ホルダー部２０が第２位置に位置しかつロック解除部６０がロック非解除位置に位置する状態で、ロック解除制限部７０と対向するように設定されている。ロック解除制限部７０の先端部分がロック解除制限部係合孔部６６内に挿入されている状態で、ロック解除部６０がロック非解除位置からロック解除位置に向けて移動操作されると、ロック解除制限部係合孔部６６は、ロック解除制限部７０の先端部分に当接して係合する（図１２参照）。
【００８５】
ロック解除制限部７０は、ロック解除制限部係合孔部６６に係合可能な略円柱形状に形成されている。ロック解除制限部７０は、先端側部分がロック解除制限部係合孔部６６内に配設可能な径に形成されていると共に、後端側部分には先端側部分より大径に形成されているバネ受け部７４が形成されている。より具体的には、ロック解除制限部７０の先端側部分の寸法は、ロック解除制限部７０の移動方向に略直交する平面方向において、ロック解除制限部係合孔部６６より小さく（ここでは僅かに小さく）かつロック解除制限部収容孔部２６の大きさより小さく（ここでは僅かに小さく）形成されている。また、バネ受け部７４の寸法は、ロック解除制限部収容孔部２６内でバネ受け部７４より先端側の部分に外嵌め状に配設されるバネ７２の内径より大きい径に形成されている。そして、ロック解除制限部７０の先端（ロック解除部６０に係合する側の端部）の周縁部は、面取り処理を施さずに形成されている。
【００８６】
また、ロック解除制限部７０は、その先端側部分の側面がロック解除部６０の移動方向と略直交するように配設されている。
【００８７】
ロック解除制限部７０は、ホルダー部２０が第２位置に位置する状態で、検知部８０が浮き検知姿勢に姿勢変更したときホルダー部２０とロック解除部６０とに係合してロック解除部６０がロック解除位置に移動するのを制限することによりホルダー部２０のロックを解除するのを制限可能にされている（図１２参照）。
【００８８】
より具体的には、ロック解除制限部７０は、ホルダー部２０とロック解除部６０とに係合するロック解除制限位置と係合しないロック解除非制限位置との間で移動可能にロック解除制限部収容孔部２６に配設されている。ここでは、ロック解除制限部７０の移動方向はロック部５０の移動方向と略同一方向である。また、ホルダー部２０が第２位置に位置する状態で、ロック解除制限部７０はロック解除部６０のロック解除制限部係合孔部６６に対向するように設定されている。ここでは、ロック解除制限部７０は、ロック解除制限部収容孔部２６の大径部２６ａ内に配設されているバネ７２により、ホルダー部２０の移動方向と直交する方向で検知部収容凹部２８側に向けて付勢されている。
【００８９】
そして、ホルダー部２０が第２位置に位置する状態で、ロック解除制限部７０は、検知部８０が浮き検知姿勢に姿勢変更したとき、先端側部分がロック解除制限部係合孔部６６内に配設可能であると共に、検知部８０が浮き非検知姿勢に姿勢変更したとき、ロック解除制限部収容孔部２６内に退避可能にされている（図１２参照）。
【００９０】
ロック解除制限部７０は、検知部８０が浮き非検知姿勢の状態では、バネ７２の付勢力によりロック解除制限部７０全体がロック解除制限部収容孔部２６内に退避したロック解除非制限位置に配設され、ロック解除部６０に係合しない状態となる。このとき、ロック解除制限部７０の先端面は、その平面方向において、ホルダー部２０のロック解除部６０側の面と略同一面上に位置するように設定されている（図８参照）。
【００９１】
また、ロック解除制限部７０は、検知部８０が浮き検知姿勢の状態では、ホルダー部２０とロック解除部６０とに係合して、ロック解除部６０がロック非解除位置からロック解除位置に移動するのを制限している。より具体的には、ロック解除制限部７０は、検知部８０に押されてロック解除制限部７０の先端部分がロック解除制限部係合孔部６６内に挿入された状態になる。この状態は、ロック解除制限部７０は、ロック解除部６０をロック非解除位置からロック解除位置に移動させる操作力により、ロック解除制限部７０の先端部分がロック解除制限部係合孔部６６のロック解除位置に略向かう面に当接して係合すると共にロック解除制限部のロック解除制限部収容孔部２６内に収容されている部分の一部がロック解除制限部収容孔部２６の第１位置に略向かう面に当接して係合する状態といえる（図１２参照）。これにより、ロック解除部６０は移動を制限される。
【００９２】
検知部８０は、支軸（ここでは支軸部８１の中心軸）周りに姿勢変更自在に支持され、コネクタ収容穴部２２にコネクタ１０が挿入されホルダー部２０が第２位置に位置する状態で、コネクタ１０の係止片１６の浮き状態に応じて浮き検知姿勢と浮き非検知姿勢との間で姿勢変更可能にされている。より具体的には、検知部８０は、検知部収容凹部２８内に配設され、ホルダー部２０のコネクタ収容穴部２２内に挿入されているコネクタ１０の係止片１６が浮いていない状態では浮き非検知姿勢（図１１参照）に維持されると共に、係止片１６が浮いて検知部収容部内に突出している状態で係止片１６に押されて浮き検知姿勢（図１２参照）に姿勢変更する。ここでは、支軸部８１は、凹溝形状に形成されている検知部収容凹部２８の幅方向に亘って配設され、その両側でホルダー部２０に固定されている。この支軸部８１は、その支軸周りに検知部８０を姿勢変更自在に支持し、検知部８０が係止片１６に押されて浮き検知姿勢に姿勢変更する際の支点となる。
【００９３】
検知部８０は、長尺状部材に形成され、その両端部に係止片１６に当接可能な係止片当接部８２とロック解除制限部７０に当接して係止片１６の浮き量に応じてロック解除制限部７０を押すことが可能なロック解除制限部当接部８４とを備えている。換言すると、検知部８０は、コネクタ収容穴部２２内にコネクタ１０が保持されている状態で、係止片当接部８２が検知部収容凹部２８とコネクタ収容穴部２２との連通部で係止片１６に対向すると共に、ロック解除制限部当接部８４がロック解除制限部７０に対向する位置に配設されている。ここでは、検知部８０は、係止片１６が浮いた状態で係止片当接部８２が係止片１６に当接するように設定されていると共に、係止片１６が浮いていない状態では、係止片当接部８２の先端面がコネクタ収容穴部２２の検知部収容凹部２８と連通している側の面に略一致するように設定され、コネクタ１０がコネクタ収容穴部２２内に挿入されている状態で係止片１６に当接している（図１０参照）。
【００９４】
また、検知部８０は、検知部収容凹部２８のコネクタ収容穴部２２に連通する部分の周縁部に係止片当接部８２の支軸部８１側部分が当接して、浮き非検知姿勢の状態からそれ以上反時計回りに回転しないように設定されている。
【００９５】
また、検知部８０は、支軸部８１（ここでは支軸部８１の中心軸）から係止片当接部８２までの寸法に対して支軸部８１からロック解除制限部当接部８４までの寸法が長く設定されている。ここでは、支軸部８１から係止片当接部８２までの寸法に対して支軸部８１からロック解除制限部当接部８４までの寸法が３倍に設定されている。より具体的には、支軸部８１（ここでは支軸部８１の中心軸）を通って係止片当接部８２とロック解除制限部当接部８４とを結ぶ直線方向において、支軸部８１から係止片当接部８２の中心部分までの寸法に対して支軸部８１からロック解除制限部当接部８４の中心部分までの寸法が３倍に設定されているのである。つまり、検知部８０は、係止片１６の浮き量だけ係止片当接部８２が押されることにより、ロック解除制限部当接部８４が係止片当接部８２の変位量の３倍の変位量動いて、係止片１６の浮き量を３倍に増幅した量だけロック解除制限部７０をロック解除部６０に係合させる向きに当該ロック解除制限部７０を押す（図１２参照）。
【００９６】
検知部８０は、係止片１６が浮いていない状態では、バネ７２によって検知部８０側に付勢されているロック解除制限部７０の後端にロック解除制限部当接部８４が押されて浮き非検知姿勢に維持されている。
【００９７】
また、検知部８０は、係止片１６が浮いている状態では、係止片１６の浮き量だけ係止片当接部８２が押されて、浮き非検知姿勢から支軸部８１を中心に時計回りに回転した浮き検知姿勢に姿勢変更される。そして、当該姿勢変更によりロック解除制限部当接部８４は、係止片当接部８２が押されて変位した量の３倍変位してバネ７２の付勢力に抗してロック解除制限部７０を押す。
【００９８】
また、ロック解除制限部当接部８４は、ロック解除制限部７０側に突出可能で、当該ロック解除制限部７０が、係止片１６が浮いていない状態でロック解除部６０に係合不可能な位置に配設されると共に係止片１６が浮いている状態でホルダー部２０とロック解除部６０とに係合可能な位置に移動されるように突出寸法を調節可能な調節部８６を有している。
【００９９】
ここでは、調節部８６は、調節ボルト８７と調節された調節ボルト８７の突出寸法を維持可能なロックナット８８を有している。調節ボルト８７は、頭部がロック解除制限部７０側に突出してロック解除制限部７０の後端に当接する姿勢で、軸部が検知部８０の本体部分に螺合して当該軸部の先端部分が反ロック解除制限部７０側に突出するように配設されている。また、調節ボルト８７の軸部の先端部分には、調節ボルト８７の突出寸法を調節操作可能な図示省略の調節操作部が形成されている。ここでは、調節操作部は略六角筒穴形状に形成されており、六角シャフトを用いて調節ボルト８７の突出寸法を調節操作可能にされている。ロックナット８８は、検知部８０の本体部分の反ロック解除制限部７０側に突出する調節ボルト８７の軸部の先端部分に螺合して調節ボルト８７のロック解除制限部７０側の突出寸法を維持可能に配設されている。ここでは、突出寸法を調節した調節ボルト８７にロックナット８８を螺合させた後、接着剤等で調節ボルト８７とロックナット８８とを接着固定している。
【０１００】
調節部８６は、検知部８０が浮き非検知姿勢の状態ではロック解除制限部７０がロック解除部６０に係合しない位置に配設されると共に検知部８０が浮き検知姿勢の状態ではロック解除制限部７０がロック解除部６０に係合する位置に配設されるように、調節ボルト８７を回転させることで、調節ボルト８７の突出寸法が調節され、ここでは、ロック解除制限部７０の先端面がホルダー部２０のロック解除部６０側の面と略同一面になるように調節されている（図１０及び図１２参照）。
【０１０１】
ストッパー部９０は、少なくともホルダー部２０が第２位置に位置する状態で、ホルダー部２０に保持されているコネクタ１０に抜止め状に係止可能にされている。ここでは、ストッパー部９０は、ホルダー部２０が第１位置に位置する状態でコネクタ１０に係止すると共に、ホルダー部２０が第２位置に位置する状態でコネクタ１０に係止するのを解除するように構成されている。
【０１０２】
また、ストッパー部９０は、略Ｌ字型に形成され、ストッパー部収容凹部２９内でホルダー部２０に固定された支軸部９２周りに係止姿勢（図９参照）と非係止姿勢（図８参照）との間で姿勢変更自在に支持されている。より具体的には、ストッパー部９０は、略Ｌ字型の一端側部分が支軸部９２に支持されると共に他端側に形成されているコネクタ係止部９６がホルダー部２０のコネクタ収容穴部２２内に収容されたコネクタ１０の端子収容部１４の開口側端部に係止可能に形成されている。ここでは、ストッパー部９０は、支軸部９２に支持されている部分と略Ｌ字型の屈曲部分との間に形成されているバネ受け部９４とホルダー部２０との間に設けられたバネ９５により、コネクタ１０の挿入方向に略直交する方向においてホルダー部２０の外方に向けて付勢されている。
【０１０３】
そして、ストッパー部９０は、ホルダー部２０が第１位置に位置する状態では、バネ９５の付勢力により他端側部分がホルダー部２０から離れ、コネクタ１０に係止しない非係止姿勢に維持される（図８参照）。
【０１０４】
また、ストッパー部９０は、ホルダー部２０が第１位置から第２位置に移動すると、略Ｌ字型の一端側部分の外方側部分がホルダー部収容部の開口周縁部に摺接し、他端側部分がホルダー部２０に当接してコネクタ１０に係止する係止姿勢に姿勢変更する。そして、ストッパー部９０は、ホルダー部２０が第２位置に位置する状態で、略Ｌ字型の一端側部分の外方側部分がホルダー部収容穴部３２を形成している基台部３０の内側部分に当接して係止姿勢に維持される（図９参照）。
【０１０５】
＜３．端子半挿入検出動作＞
次に、第１実施形態に係る端子半挿入状態検出機能付きコネクタ組立用装置の端子半挿入検出動作について説明する。
【０１０６】
まず、図８のように、作業者がホルダー部２０が第１位置にある状態でコネクタ１０をコネクタ収容穴部２２内に挿入する。
【０１０７】
次に、図９のように、作業者がホルダー部２０を基台部３０内に押し込んで第１位置から第２位置に移動させる。このとき、ロック部５０がロック解除部６０に係合してホルダー部２０を第２位置でロックすると共に、ストッパー部９０がコネクタ１０に抜止め状に係止する。
【０１０８】
そして、この状態で、図１０のように、作業者がホルダー部２０に保持されているコネクタ１０の端子収容部１４内に端子１８を挿入する。図１０は、端子１８が完全挿入された状態を示しており、この状態では、検知部８０が浮き非検知姿勢に維持されることによりロック解除制限部７０がロック非解除位置に維持されるため、ロック解除部６０を移動操作してホルダー部２０のロックを解除可能である。
【０１０９】
次に、図１１のように、端子１８がコネクタ１０に完全に挿入された状態では、コネクタ１０の係止片１６の浮きが発生せず、検知部８０は浮き非検知姿勢に維持される。この状態で、作業者がロック解除部６０を押し込んでロック非解除位置からロック解除位置に移動させると、解除摺接溝部６４が被解除摺接部５４の傾斜面に摺接してロック部５０をロック部収容穴部２４内に押下げていく。そして、ロック解除部６０がロック解除位置まで移動された状態では、ロック部５０がロック部収容穴部２４内に完全に退避した状態になってホルダー部２０のロックが解除される。これにより、ホルダー部２０は、ホルダー部移動バネ３６の付勢力により第２位置から第１位置に移動される。そして、ホルダー部２０が第１位置に移動することで、端子１８がコネクタ１０に完全に挿入されたことを確認できる。
【０１１０】
そして、ホルダー部２０が第１位置に移動した後、端子１８が完全挿入されたコネクタ１０をホルダー部２０から取出し、次のコネクタ１０を挿入してコネクタ１０と端子１８の組立を繰り返すことができる。
【０１１１】
また、図１２のように、端子１８がコネクタ１０に完全に挿入されていない半挿入の状態では、コネクタ１０の係止片１６が浮いて検知部８０の係止片当接部８２を押し、検知部８０が浮き非検知姿勢から浮き検知姿勢に姿勢変更する。そして、検知部８０のロック解除制限部当接部８４がロック解除制限部７０を押すことによりロック解除制限部７０がロック解除部６０に係合する。これにより、ロック解除部６０をロック非解除位置からロック解除位置に移動操作不能になるため、ロック部５０によるホルダー部２０のロックを解除できず、ホルダー部２０は第２位置にロックされたままの状態で維持される。そして、ホルダー部２０が第１位置に移動不能であることにより、端子１８が半挿入の状態であることを検出することができ、作業者は端子１８の半挿入状態を認識することができる。
【０１１２】
そして、図１２の状態で端子１８の半挿入状態を検出後、さらに端子１８を挿入することで、図１０の端子１８が完全に挿入された状態にすることができる。このあと、作業者は、図１１のようにロック解除を行って端子１８が完全挿入されたコネクタ１０をホルダー部２０から取出し、次のコネクタ１０を挿入してコネクタ１０と端子１８の組立を繰り返すことができる。
【０１１３】
上記のような端子半挿入状態検出機能付きコネクタ組立用装置によると、端子１８が半挿入の状態では検知部８０がコネクタ１０の係止片の浮き状態を検知して浮き検知姿勢に姿勢変更し、ホルダー部２０を第２位置でロックして第１位置に移動不可能にするため、コネクタ１０と端子１８との組立工程において、より確実に端子１８の半挿入状態を検出して完全挿入を行うことができる。この際、コネクタ１０をホルダー部２０に挿入した状態で端子１８を挿入して端子１８の半挿入を検出することができるので、係止片１６には端子１８の挿入力及び検知部８０を姿勢変更させる力以外には余分な力が加わり難いため、端子１８及びコネクタ１０の破損を抑制することができる。
【０１１４】
また、検知部８０が支軸から係止片当接部８２までの寸法に対して支軸部８１からロック解除制限部当接部８４までの寸法が長く設定されているため、端子１８が半挿入の状態で係止片当接部８２が係止片１６の浮き量だけ押され、当該係止片１６の浮き量を増幅してロック解除制限部当接部８４がロック解除制限部７０を押す。これにより、端子１８が半挿入の状態で、係止片１６の僅かな浮きも精度良く検知することができるため、ロック解除制限部７０によりロック解除部６０が移動するのをより確実に制限してホルダー部２０を第２位置でロックすることができる。そして、コネクタ１０と端子１８との組立工程において、精度良く端子半挿入状態を検出して完全挿入を行うことができる。
【０１１５】
また、ホルダー部２０が第２位置に位置する状態でロック部５０が基台部３０とホルダー部２０とに係合するようにロック動作をしてホルダー部２０を第２位置でロックするため、作業者がホルダー部２０を第２位置に位置するように維持する手間が省ける。そして、検知部８０が浮き非検知姿勢に姿勢変更したときロック解除部６０によりロック部５０によるホルダー部２０のロックを解除可能であるため、作業者はロック解除部６０の移動操作をするだけで、ホルダー部２０をバネ３６の付勢力により第１位置に移動させることができる。また、検知部８０が浮き検知姿勢に姿勢変更したときロック解除制限部７０がホルダー部２０とロック解除部６０とに係合し、ロック解除部６０のロック解除位置への移動を制限してホルダー部２０のロック解除を制限し、検知部８０が浮き非検知姿勢に姿勢変更したときロック解除部６０が移動可能とされる。つまり、端子１８が半挿入の状態ではホルダー部２０が第２位置でロックされて移動不可能にされると共に端子１８が完全挿入の状態ではホルダー部２０のロックが解除されてホルダー部２０が第１位置に移動可能にされる。これにより、コネクタ１０と端子１８との組立工程において、より確実に端子半挿入状態を検出して完全挿入を行うことができる。
【０１１６】
また、端子１８が半挿入の状態でロック解除制限部７０がホルダー部２０とロック解除部６０とに係合すると共に端子１８が完全挿入の状態でロック解除制限部７０がロック解除部６０に係合しないように調節部８６の突出寸法を調節することができる。これにより、検知部８０の僅かな姿勢変更でもロック解除制限部７０をロック解除部６０に係合可能であり、端子１８が半挿入の状態でロック解除部６０によるロック解除を制限することができるため、コネクタ１０と端子１８との組立工程において、より確実に端子半挿入状態を検出して完全挿入を行うことができる。
【０１１７】
また、ホルダー部２０のロックを解除する際、ロック解除部６０を移動させると解除摺接溝部６４がロック部５０に形成されている被解除摺接部５４に摺接してロック部５０をロック位置から非ロック位置に押下げて、ホルダー部２０のロックを解除できるため、ロック解除部６０の移動操作には大きな力は要らず、容易にロック解除を行うことができる。
【０１１８】
また、ホルダー部２０が第２位置に位置する状態で、ストッパー部９０がコネクタ１０に係止可能であると共に、ホルダー部２０が第１位置に位置する状態で係止を解除可能である。つまり、端子１８が半挿入の状態ではホルダー部２０が第２位置でロックされているためコネクタ１０を抜出し不可能で、端子１８が完全挿入の状態ではホルダー部２０が第１位置に移動されるためコネクタ１０を抜出し可能であり、コネクタ１０を抜出し可能となるときは端子１８が完全挿入されている。これにより、作業者は、端子１８が半挿入された状態でコネクタ１０を誤って抜出すことを防止できる。よって、コネクタ１０と端子１８との組立工程において、より確実に端子半挿入状態を検出して完全挿入を行うことができる。また、係止片１６が浮いた状態でコネクタ１０が抜出されることによるコネクタ１０の損傷、変形等を防止することもできる。
【０１１９】
｛変形例｝
本実施形態では、ホルダー部ロック機構部がロック部５０とロック解除部６０とロック解除制限部７０とにより構成された例について説明したが、ホルダー部ロック機構部はこのような構成に限られるものではい。例えば、ホルダー部ロック機構部は、係止部の浮きの有無により姿勢変更する検知部の姿勢に応じて、ロック部が直接基台部に係止してホルダー部を第２位置にロック及びロック解除自在な構成であってもよい。この場合、例えば、第１実施形態のロック部５０、ロック部収容穴部２４、ロック部係合凹部３４、解除摺接溝部６４を省略し、ロック解除部６０を基台部３０と一体し、ロック解除制限部７０をロック部として用いた構成とするとよい。
【０１２０】
また、ロック解除部６０は、スライド本体部６２をその移動方向で二部材に分割し、当該二部材をコイルバネ等の弾性体を介して連結した構造であっても良い。これにより、ロック解除制限部７０がロック解除制限位置に位置する状態で、ロック解除部６０をロック解除位置に移動操作させようとした際に、ロック解除部６０とロック解除制限部７０とが当接する衝撃が強力であった場合にも、その衝撃を前記弾性体により吸収することができる。そして、ロック解除部６０及びロック解除制限部７０の変形や破損を防止することができる。
【符号の説明】
【０１２１】
１０  コネクタ
１２  ハウジング本体部
１４  端子収容部
１６  係止片
１８  端子
２０  ホルダー部
３０  基台部
５０  ロック部
５４  被解除摺接部
６０  ロック解除部
７０  ロック解除制限部
８０  検知部
８１  支軸部
８２  係止片当接部
８４  ロック解除制限部当接部
８６  調節部
９０  ストッパー部
【図１】
2010165516.tif 000003
【図２】
2010165516.tif 000004
【図３】
2010165516.tif 000005
【図４】
2010165516.tif 000006
【図５】
2010165516.tif 000007
【図６】
2010165516.tif 000008
【図７】
2010165516.tif 000009
【図８】
2010165516.tif 000010
【図９】
2010165516.tif 000011
【図１０】
2010165516.tif 000012
【図１１】
2010165516.tif 000013
【図１２】
2010165516.tif 000014
【図１３】
2010165516.tif 000015